(57)【要約】【課題】入力する映像の変更に伴って、解像度の変更により映像が乱れることを防止する技術を提供する。【解決手段】映像処理装置は、異なる解像度を有する複数の映像情報それぞれの関連情報と、表示部１４，３０の解像度とを記憶する記憶部１２ａと、外部からの映像選択命令に基づいて、複数の映像情報の内から入力する映像情報を選択する選択部２３、２４と、記憶部１２ａから取得した、映像選択命令により選択された映像情報の解像度に応じて、入力した映像情報の解像度を表示部１４，３０の解像度に変更して映像情報を出力する解像度変更部２６，２７と、を備える。【選択図】図２
2018006908.tif 000002
【特許請求の範囲】
【請求項１】
異なる解像度を有する複数の映像情報それぞれの関連情報と、表示部の解像度とを記憶する記憶部と、
外部からの映像選択命令に基づいて、前記複数の映像情報の内から入力する映像情報を選択する選択部と、
前記記憶部から取得した、前記映像選択命令により選択された映像情報の解像度に応じて、入力した映像情報の解像度を、前記記憶部から取得した前記表示部の解像度に変更して映像情報を出力する解像度変更部と、
を備える映像処理装置。
【請求項２】
前記関連情報は、解像度、又は映像信号種別情報、又は表示部種別の内の少なくとも１つを含む請求項１に記載の映像処理装置。
【請求項３】
前記関連情報は、解像度であり、
前記記憶部は、前記複数の映像情報それぞれと解像度との関係を示すテーブルを記憶し、
前記解像度変更部は、前記選択部により選択された映像情報と、前記記憶部に記憶されている前記テーブルとに基づいて、前記選択された映像情報の解像度を抽出し、抽出された前記選択された映像情報の解像度を利用して、入力した映像情報の解像度を前記記憶部から取得した前記表示部の解像度に変更して映像情報を出力する請求項１又は２に記載の映像処理装置。
【請求項４】
前記解像度変更部は、クロック信号に基づいて動作しており、
前記解像度変更部は、前記映像選択命令を受けた後の次のクロック信号に基づいて、入力した映像情報の解像度を前記表示部の解像度に変更して映像情報を出力する請求項１〜３の何れか一項に記載の映像処理装置。
【請求項５】
前記選択部は、
第１の前記映像選択命令に基づいて、前記複数の映像情報の内から第１の映像情報を選択する第１選択部と、
第２の前記映像選択命令に基づいて、前記複数の映像情報の内から第２の映像情報を選択する第２選択部と、
を有し、
前記解像度変更部は、
前記記憶部から取得した、第１の前記映像選択命令により選択された第１の映像情報の解像度に応じて、入力した第１の映像情報の解像度を、前記記憶部から取得した第１の前記表示部の解像度に変更して映像情報を出力する第１の解像度変更部と、
前記記憶部から取得した、第２の前記映像選択命令により選択された第２の映像情報の解像度に応じて、入力した第２の映像情報の解像度を、前記記憶部から取得した第２の前記表示部の解像度に変更して映像情報を出力する第２の解像度変更部と、
を有する、請求項請求項１〜４の何れか一項に記載の映像処理装置。
【請求項６】
前記複数の映像情報を入力して、前記選択部へ出力する入力部を備え、
前記入力部は、入力した前記複数の映像情報それぞれの解像度が、所定の範囲にあるかを調べ、解像度が所定の範囲にない場合には、異常があると判断する、請求項１〜５の何れか一項に記載の映像処理装置。
【請求項７】
前記複数の映像情報は、
映像情報を記憶する記憶媒体を再生する再生装置が出力する映像情報、又は、
デジタルテレビチューナが出力する映像情報、又は、
高精細度マルチメディアインターフェース規格に基づく映像情報を含む、請求項１〜６の何れか一項に記載の映像処理装置。
【請求項８】
車両に搭載され、
前記解像度変更部は、入力した映像情報の解像度を、前記車両に搭載される前記表示部の解像度に変更して、映像情報を前記表示部に出力する、請求項１〜７の何れか一項に記載の映像処理装置。
【請求項９】
異なる解像度を有し、解像度が既知である複数の映像情報の内から選択された一の映像情報を入力し、一の映像情報の解像度を表示部の解像度に変更して出力する方法であって、
一の映像情報から他の映像情報へ入力する映像情報を変更する時に、
既知である他の映像情報の解像度に基づいて、入力した他の映像情報の解像度を前記表示部の解像度に変更して映像情報を出力する、方法。
【請求項１０】
外部からの映像選択命令に基づいて、異なる解像度を有する複数の映像情報の内から入力する映像情報を選択し、
前記複数の映像情報それぞれの関連情報と、表示部の解像度とを記憶する記憶部から取得した、前記映像選択命令により選択された映像情報の解像度に応じて、入力した映像情報の解像度を、前記記憶部から取得した前記表示部の解像度に変更して映像情報を出力する、方法。
【発明の詳細な説明】
【技術分野】
【０００１】
本発明は、映像の解像度を変更する技術に関する。
【背景技術】
【０００２】
従来、映像情報を入力して表示することが行われている。
【０００３】
車両に搭載される車載装置では、ナビゲーションの映像情報、ディスク状の記憶媒体を再生した映像情報又はデジタルテレビチューナにより出力される映像情報等を表示部に表示する。
【０００４】
ユーザが車載装置を操作して、表示部に表示される入力映像を変更すると、表示部に出力する映像情報を切り替える処理に伴って映像が乱れることがある。このような映像の乱れは、映像がデジタル信号を含む場合でも同様に生じ得る。
【０００５】
デジタルテレビのようなデジタル映像コンテンツは、ＨＤＣＰによる著作権保護技術によって著作権が保護されており、デジタル映像コンテンツの配信経路の認証をしている。
【０００６】
例えば、デジタルテレビチューナにより出力される映像情報の出力先を前席表示部から後席表示部に変更する場合には、デジタル映像コンテンツの配信経路の認証が行われるので、表示部に表示される映像が一時的に中断されて黒い画面が表示される。
【０００７】
そこで、特許文献１では、デジタル映像コンテンツを表示する機器構成を変更する時に、デジタル映像コンテンツの配信経路の認証が行われる間、直前に記憶した画像を表示部に表示することにより黒い画面が表示されないようにして、ユーザに与える不快感を低減することを提案している。
【先行技術文献】
【特許文献】
【０００８】
【特許文献１】特開２００８−２１１３３８号公報
【発明の概要】
【発明が解決しようとする課題】
【０００９】
車載装置では、ディスク状の記憶媒体を再生した映像情報を表示部に出力する時に、映像情報の解像度を、表示部の解像度に変更した上で、映像を表示部に出力する場合がある。
【００１０】
これは、ディスク状の記憶媒体を再生した映像情報の解像度（横画素数７２０×縦画素数４８０）と、表示部の解像度（例えば、横画素数１２８０×縦画素数７２０）とが異なるためである。
【００１１】
そこで、車載装置では、入力したディスク状の記憶媒体を再生した映像情報の解像度（横画素数７２０×縦画素数４８０）を、表示部の解像度（例えば、横画素数１２８０×縦画素数７２０）に変更し、解像度が変更された映像情報を表示部に出力する。
【００１２】
また、車載装置では、表示部に表示する映像情報源を、ディスク状の記憶媒体から他の映像情報源に変更する場合がある。例えば、映像情報源を、ディスク状の記憶媒体からデジタルテレビチューナに変更する場合には、映像の解像度も変わる。デジタルテレビチューナにより出力される映像情報の解像度（横画素数１２８０×縦画素数７２０）は、ディスク状の記憶媒体を再生した映像情報の解像度（横画素数７２０×縦画素数４８０）とは異なる。
【００１３】
そこで、車載装置は、デジタルテレビチューナにより出力される映像情報の解像度（横画素数１２８０×縦画素数７２０）を、ディスク状の記憶媒体を再生した映像情報とは異なる変更倍率に変えた上で、解像度が変更された映像情報を表示部に出力する。
【００１４】
このように、車載装置は、入力した映像信号の解像度に基づいて、表示部の解像度（例えば、横画素数１２８０×縦画素数７２０）に適合するように、入力した映像信号の解像度を変更する処理を行う。
【００１５】
車載装置が入力した映像信号の解像度を表示部の解像度に適合させる処理を行っている間は、映像が乱れるので表示部を消灯しており、ユーザに不快感を与えるおそれがある。
【００１６】
本明細書では、入力する映像の変更に伴って、解像度の変更により映像が乱れることを防止する技術を提案することを課題とする。
【課題を解決するための手段】
【００１７】
本明細書に開示する映像処理装置によれば、異なる解像度を有する複数の映像情報それぞれの関連情報と、表示部の解像度とを記憶する記憶部と、外部からの映像選択命令に基づいて、上記複数の映像情報の内から入力する映像情報を選択する選択部と、上記記憶部から取得した、上記映像選択命令により選択された映像情報の解像度に応じて、入力した映像情報の解像度を上記表示部の解像度に変更して映像情報を出力する解像度変更部と、を備える。
【００１８】
また、本明細書に開示する方法によれば、異なる解像度を有し、解像度が既知である複数の映像情報の内から選択された一の映像情報を入力し、一の映像情報の解像度を表示部の解像度に変更して出力する方法であって、一の映像情報から他の映像情報へ入力する映像情報を変更する時に、既知である他の映像情報の解像度に基づいて、入力した他の映像情報の解像度を前記表示部の解像度に変更して映像情報を出力する。
【００１９】
更に、本明細書に開示する他の方法によれば、外部からの映像選択命令に基づいて、異なる解像度を有する複数の映像情報の内から入力する映像情報を選択し、上記複数の映像情報それぞれの関連情報と、表示部の解像度とを記憶する記憶部から取得した、上記映像選択命令により選択された映像情報の解像度に応じて、入力した映像情報の解像度を、上記記憶部から取得した上記表示部の解像度に変更して映像情報を出力する。
【発明の効果】
【００２０】
上述した本明細書に開示する技術によれば、入力する映像の変更に伴って、解像度の変更により映像が乱れることを防止できる。
【図面の簡単な説明】
【００２１】
【図１】本明細書に開示する車載装置の一実施形態を示す図である。
【図２】映像処理装置のブロック図である。
【図３】解像度表を説明する図である。
【図４】映像処理装置の動作を説明するフローチャート（その１）である。
【図５】映像処理装置の動作を説明するシーケンス図である。
【図６】映像処理装置の動作を説明するフローチャート（その２）である。
【図７】従来の映像処理装置の動作を説明するシーケンス図である。
【発明を実施するための形態】
【００２２】
以下、本明細書で開示する映像処理装置を備える車載装置の一実施形態を、図を参照して説明する。但し、本発明の技術範囲はそれらの実施形態に限定されず、特許請求の範囲に記載された発明とその均等物に及ぶものである。
【００２３】
図１は、本明細書に開示する車載装置の一実施形態を示す図である。
【００２４】
車載装置１０は、制御部１１と、記憶部１２と、操作部１３と、前席表示部１４と、映像処理装置２０と、ディスクドライブ１５と、デジタルテレビチューナ（ＤＴＶ）１６と、高精細度マルチメディアインターフェース（Ｈｉｇｈ−Ｄｅｆｉｎｉｔｉｏｎ  Ｍｕｌｔｉｍｅｄｉａ  Ｉｎｔｅｒｆａｃｅ：ＨＤＭＩ（（登録商標）））１７を有する。車載装置１０は、図示しない車両の車室に搭載されて、ユーザにより操作される。
【００２５】
制御部１１は、一つまたは複数のプロセッサと、周辺回路とを有する。制御部１１は、記憶部１２に予め記憶されている所定のプログラムに従い、車載装置１０の各ハードウェア構成要素の制御及び各種処理を行い、処理中に生じるデータを一時的に保存するために記憶部１２を利用する。
【００２６】
記憶部１２は、ランダムアクセスメモリ（ＲＡＭ）若しくはリードオンリーメモリ（ＲＯＭ）等の半導体メモリ、又は磁気ディスク若しくはフラッシュメモリ等の不揮発性メモリを有していてもよい。また、記憶部１２は、所定のプログラムを記憶する非一時的な記憶媒体を読み出し可能なドライブとして、ディスクドライブ１５を用いてもよい。
【００２７】
記憶部１２は、例えば、ナビゲーションプログラムを記憶する。制御部１１が有するプロセッサが、ナビゲーションプログラムを実行することより、ナビゲーション機能が実現される。また、記憶部１２は、ディスクドライブ１５に格納されたディスク状の記憶媒体に書き込まれている音楽データ又は映像データ等のコンテンツを再生する再生プログラムを記憶する。更に、記憶部１２は、ＨＤＭＩ１７から入力したＨＤＭＩ規格に基づいた映像情報を再生する再生プログラムを記憶する。
【００２８】
操作部１３は、ユーザにより操作されて、操作を入力可能である。車載装置１０は、操作部１３としては、タッチパネルを用いることができる。例えば、操作部１３は、ユーザにより操作されて、前席表示部１４等に表示する映像情報源を入力する。
【００２９】
前席表示部１４は、車室のインストルメントパネルに配置され得る。前席表示部１４は、制御部１１に制御されて、各種の情報を表示可能である。前席表示部１４としては、例えば、液晶ディスプレイを用いることができる。前席表示部１４の解像度は、横画素数１２８０×縦画素数７２０（ＨＤ）である。
【００３０】
映像処理装置２０は、ディスクドライブ１５、ＤＴＶチューナ１６又はＨＤＭＩ１７から入力した映像情報の解像度を、前席表示部１４の解像度に変更して、解像度が変更された映像情報を前席表示部１４に出力する。前席表示部１４は、映像処理装置２０により前席表示部１４の解像度に調節された映像情報を表示する。
【００３１】
また、映像処理装置２０は、ディスクドライブ１５、ＤＴＶチューナ１６又はＨＤＭＩ１７から入力した映像情報の解像度を、後席表示部３０の解像度に変更して、解像度が変更された映像情報を後席表示部３０に出力する。後席表示部３０の解像度は、横画素数１２８０×縦画素数７２０（ＨＤ）である。後席表示部３０は、車室の後席から視認可能な位置に配置される。後席表示部３０は、映像処理装置２０により後席表示部３０の解像度に調節された映像情報を表示する。映像処理装置２０については、更に後述する。
【００３２】
ディスクドライブ１５は、ディスク状の記憶媒体（以下、ディスク媒体ともいう）を格納し、制御部１１に制御されて、記憶媒体に書き込まれている音楽データ又は映像データ等のコンテンツを読み出して、読み出したデータの映像信号を映像処理装置２０に出力し、読み出したデータの音響信号を制御部１１に出力する。ディスク状の記憶媒体としては、例えば、ＤＶＤ（登録商標）等が挙げられる。
【００３３】
ＤＴＶチューナ１６は、図示しないアンテナから地上デジタル電波を受信して、ユーザにより選択された放送番組の映像信号及び音響信号を出力する。ＤＴＶチューナ１６は、放送番組の映像信号を、映像処理装置２０に出力する。また、ＤＴＶチューナ１６は、放送番組の音響信号を、制御部１１に出力する。
【００３４】
ＨＤＭＩ１７は、高精細度マルチメディアインターフェース規格に基づく映像信号及び音響信号を入力する。例えば、ＨＤＭＩ１７は、高機能携帯電話４０からＨＤＭＩ規格に基づく映像信号及び音響信号を入力する。ＨＤＭＩ１７は、入力したＨＤＭＩ規格に基づく映像信号を、映像処理装置２０に出力する。また、ＨＤＭＩ１７は、入力したＨＤＭＩ規格に基づく音響信号を、制御部１１に出力する。
【００３５】
制御部１１は、ディスクドライブ１５、ＤＴＶチューナ１６又はＨＤＭＩ１７から入力した音響信号を処理して、図示しないスピーカから音響として出力する。
【００３６】
次に、映像処理装置２０について、以下に更に説明する。
【００３７】
図２は、映像処理装置のブロック図である。
【００３８】
映像処理装置２０は、制御部２１と、入力部２２と、第１選択部２３及び第２選択部２４と、画像メモリ２５と、第１解像度変更部２６及び第２解像度変更部２７を有する。映像処理装置２０は、例えば、フィールド・プログラマブル・アレイ（ＦＰＧＡ）を用いて形成される。
【００３９】
制御部２１は、上述した映像処理装置２０の各ハードウェア構成要素の制御及び各種処理を行う。また、制御部２１は、記憶部２１ａを有する。記憶部２１ａは、入力する映像情報と、関連情報としての解像度との関係を記憶すると共に、入力することが選択されている映像情報を示すフラグを記憶する解像度表（解像度テーブル）Ｔ１、Ｔ２を記憶する。また、記憶部２１ａは、前席表示部１４の解像度と、後席表示部３０の解像度を記憶する。
【００４０】
また、制御部２１は、車載装置１０の制御部１１から映像選択信号を入力する。映像選択信号は、映像処理装置２０に対して、前席表示部１４又は後席表示部３０に表示する映像情報源を指示する。
【００４１】
図３は、解像度表を説明する図である。
【００４２】
解像度表Ｔ１は、第１選択部２３が入力する第１入力映像情報と解像度との関係を記憶すると共に、第１選択部２３が入力することを選択している映像情報を示すフラグが登録される。
【００４３】
映像処理装置２０は、ディスクドライブ１５が出力するディスク媒体の映像情報と、ＤＴＶチューナ１６が出力するＤＴＶの映像情報と、ＨＤＭＩ１７が出力するＨＤＭＩ規格に基づく映像情報を入力する。
【００４４】
解像度表Ｔ１は、第１入力映像情報として、ディスク媒体の映像情報と、ＤＴＶの映像情報と、ＨＤＭＩ規格に基づく映像情報を有する。ディスク媒体の映像信号の解像度は、横画素数７２０×縦画素数４８０であり、ＤＴＶの映像信号の解像度は、横画素数１２８０×縦画素数７２０である。ＨＤＭＩ規格に基づく映像信号の解像度は、横画素数７２０×縦画素数４８０と、横画素数１２８０×縦画素数７２０と、横画素数１９２０×縦画素数５４０の３種類がある。ディスク媒体の映像情報の解像度と、ＤＴＶの映像情報の解像度と、ＨＤＭＩ規格に基づく映像情報の３つの解像度は、既知であり、解像度表Ｔ１に記憶されている。
【００４５】
解像度表Ｔ１において、第１選択部２３が入力することを選択している映像情報には、フラグ１が登録されており、選択されていない映像情報には、フラグ０が登録される。
【００４６】
第２選択部２４にも、第１選択部２３と同様に、３つの映像情報が入力される。
【００４７】
解像度表Ｔ２は、第２選択部２４が入力する第２入力映像情報と解像度との関係を記憶すると共に、第２選択部２４が入力することを選択している映像情報を示すフラグが登録される。
【００４８】
入力部２２は、制御部２１により制御されて、ディスクドライブ１５が出力するディスク媒体の映像信号を入力する入力処理部２２ａと、ＤＴＶチューナ１６が出力するＤＴＶの映像信号を入力する入力処理部２２ｂと、ＨＤＭＩ規格に基づく映像信号を入力する入力処理部２２ｃを有する。
【００４９】
入力処理部２２ａ〜２２ｃは、入力した映像信号それぞれの解像度が、所定の範囲にあるかを調べ、解像度が所定の範囲にない映像情報については異常があると判断して、異常信号を制御部２１に出力する。入力処理部２２ａ〜２２ｃには、映像データが送られていなくても、映像信号の解像度を含む信号が入力されている。
【００５０】
具体的には、入力処理部２２ａは、入力した映像情報の解像度が、ディスク媒体の映像信号の解像度（横画素数７２０×縦画素数４８０）に対して、所定の範囲にあるかを判断する。
【００５１】
入力処理部２２ｂは、入力した映像情報の解像度が、ＤＴＶの映像信号の解像度（横画素数１２８０×縦画素数７２０）に対して、所定の範囲にあるかを判断する。
【００５２】
入力処理部２２ｃは、入力した映像情報の解像度が、ＨＤＭＩ規格に基づく映像信号の解像度（横画素数７２０×縦画素数４８０、横画素数１２８０×縦画素数７２０、横画素数１９２０×縦画素数５４０）に対して、所定の範囲にあるかを判断する。また、入力処理部２２ｃは、入力した映像情報の解像度が、ＨＤＭＩ規格に基づく映像信号の３つの解像度の内の何れかであるかを決定して、入力されている解像度を、解像度表Ｔ１，Ｔ２に登録する。図３に示す例では、解像度表Ｔ１，Ｔ２において、横画素数１９２０×縦画素数５４０の解像度が入力されていることが太枠で示されている。
【００５３】
入力処理部２２ａ〜２２ｃは、入力した映像情報それぞれの解像度が、所定の範囲にある場合には、入力した映像信号を、第１選択部２３及び第２選択部２４に出力する。
【００５４】
第１選択部２３は、前席表示部１４に表示する映像情報を選択するように、制御部２１により制御されて、３つの映像情報の内から選択した１つの映像情報を１フレームごとに入力して、画像メモリ２５に映像情報を書き込む。
【００５５】
同様に、第２選択部２４は、後席表示部３０に表示する映像情報を選択するように、制御部２１により制御されて、３つの映像情報の内から選択した１つの映像情報を１フレームごとに入力して、画像メモリ２５に映像情報を書き込む。第２選択部２４が選択する映像情報は、第１選択部２３とは異なっていてもよい。
【００５６】
画像メモリ２５は、第１選択部２３により映像信号が書き込まれる領域と、第２選択部２４により映像信号が書き込まれる領域を有する。画像メモリ２５は、ＦＰＧＡの一部に配置されてもよいし、ＦＰＧＡの外部のメモリとして配置されてもよい。画像メモリ２５としては、例えば、ＤＤＲ３  ＳＤＲＡＭ（Ｄｏｕｂｌｅ−Ｄａｔａ−Ｒａｔｅ３  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）を用いることができる。
【００５７】
第１解像度変更部２６は、第１解像度変更部２６が生成したクロックに基づいて動作している。第１解像度変更部２６は、制御部２１により制御されて、クロックに同期して、前席表示部１４に表示されることになる映像情報の解像度を、記憶部１２ａの解像度表Ｔ１から抽出し、抽出した前席表示部１４に表示されることになる映像情報の解像度に応じて、第１選択部２３から入力した映像情報の解像度を、記憶部１２ａから取得した前席表示部１４の解像度に変更して、解像度が変更された映像情報を前席表示部１４に出力する。
【００５８】
同様に、第２解像度変更部２７は、第２解像度変更部２７が生成したクロックに基づいて動作している。第２解像度変更部２７は、制御部２１により制御されて、クロックに同期して、後席表示部３０に表示されることになる映像情報の解像度を、記憶部１２ａの解像度表Ｔ２から抽出し、抽出した後席表示部３０に表示されることになる映像情報の解像度に応じて、第２選択部２４から入力した映像情報の解像度を、記憶部１２ａから取得した後席表示部３０の解像度に変更して、解像度が変更された映像情報を後席表示部３０に出力する。後席表示部３０の解像度は、前席表示部１４の解像度と同じでもよいし、異なっていてもよい。
【００５９】
次に、映像処理装置２０の動作を、図４に示すフローチャートと、図５に示すシーケンス図を参照しながら、以下に説明する。
【００６０】
図４に示す動作例では、映像処理装置２０は、最初に起動した状態では、車載装置１０の制御部１１から映像選択信号を入力していない。解像度表Ｔ１、Ｔ２には、いずれの映像情報にもフラグ０が登録されている。
【００６１】
続いて、映像処理装置２０は、車載装置１０の制御部１１から前席表示部１４に表示する映像情報を選択する映像選択信号を入力して、前席表示部１４に選択された映像情報の表示を開始する。この説明は、後席表示部３０に選択された映像情報の表示を開始する動作にも適宜適用される。
【００６２】
まず、ステップＳ４０１において、起動した映像処理装置２０は、前席表示部１４を消灯（図５（Ｉ）参照）して、前席表示部１４には黒画面が表示される（表示部消灯処理）。
【００６３】
次に、ステップＳ４０２において、入力処理部２２ａ〜２２ｃは、入力した映像情報それぞれの解像度が、所定の範囲にあるかを調べ、解像度が所定の範囲にない場合には、異常があると判断して、映像情報の異常を通知する異常信号を制御部２１に出力する（異常判定処理）。制御部２１は、選択された映像情報源の映像情報の異常を通知する異常信号を車載装置１０の制御部１１に通知する。制御部１１は、前席表示部１４に、選択された映像情報源に異常があることを表示してユーザに通知する。
【００６４】
入力処理部２２ａ〜２２ｃは、入力した映像情報それぞれの解像度が、所定の範囲にある場合には、入力した映像信号を、第１選択部２３及び第２選択部２４に出力する。
【００６５】
次に、ステップＳ４０３において、ユーザは車載装置１０の操作部１３を操作して、前席表示部１４に入力する映像情報源として、ディスクドライブ１５の選択が操作部１３に入力される（図５（Ｋ）参照）。車載装置１０の制御部１１は、ディスク媒体を再生した映像情報を選択する映像選択信号を、映像処理装置２０に出力する。映像処理装置２０の制御部２１は、ディスク媒体を再生した映像情報を選択する映像選択信号を入力する（図５（Ｊ）参照）（映像選択信号入力処理）。
【００６６】
次に、ステップＳ４０４において、制御部２１は、解像度表Ｔ１における第１入力映像情報として選択されたディスク媒体にフラグ１を登録する（フラグ登録処理）。
【００６７】
次に、ステップＳ４０５において、第１選択部２３は、制御部２１により制御されて、ディスク媒体を再生した映像信号を、ディスク媒体を再生した映像信号が含む垂直同期信号に同期して１フレームごとに入力し、画像メモリ２５に映像情報を書き込む（図５（Ａ）、図５（Ｂ）及び図５（Ｅ）参照）。
【００６８】
そして、第１解像度変更部２６は、第１解像度変更部２６が生成するクロックＣ３に同期して（図５（Ｈ）参照）、前席表示部１４に表示されることになる映像情報の解像度を記憶部１２ａの解像度表Ｔ１から抽出し、且つ、第１選択部２３により書き込まれた映像情報を画像メモリ２５から読み込む（図５（Ｆ）参照）。この時、第１解像度変更部２６は、記憶部１２ａの解像度表Ｔ１のフラグ「１」が登録されている映像情報の解像度を、解像度表Ｔ１から抽出する。そして、第１解像度変更部２６は、第１選択部２３により書き込まれた映像情報の解像度を、記憶部１２ａから抽出した前席表示部１４の解像度を利用して変更し、画像メモリ２５から読み込んだ映像情報を前席表示部１４に出力する（図５（Ｇ）参照）。点灯した前席表示部１４は、入力した映像情報を表示する（図５（Ｉ）参照）。具体的には、第１解像度変更部２６は、ディスク媒体を再生した映像情報の解像度（横画素数７２０×縦画素数４８０）を、前席表示部１４の解像度（横画素数１２８０×縦画素数７２０：ＨＤ）に変更して、解像度が変更された映像情報を、前席表示部１４に出力する（解像度変更処理）。
【００６９】
以下、ステップＳ４０５の動作が繰り返されて、ディスク媒体を再生した映像情報の解像度（横画素数７２０×縦画素数４８０）が、前席表示部１４の解像度（横画素数１２８０×縦画素数７２０：ＨＤ）に変更されて、解像度が変更された映像情報が、前席表示部１４に表示されることが続く（図５（Ａ）、（Ｂ）、（Ｅ）〜（Ｉ）参照）。
【００７０】
次に、ユーザの操作により、前席表示部１４に表示する映像情報源が、ディスクドライブ１５からＨＤＭＩ１７に変更された場合の映像処理装置２０の動作を、図６に示すフローチャートと、図５に示すシーケンス図を参照しながら、以下に説明する。この説明は、後席表示部３０に表示される映像情報源を変更する動作にも適宜適用される。
【００７１】
まず、Ｓ６０１において、映像処理装置２０の制御部２１は、車載装置１０の制御部１１から映像選択信号を入力したか否かを判断する。映像選択信号を入力していない場合（ステップＳ６０１−Ｎｏ）、ステップＳ６０２へ進んで、現在の処理（例えば、図４のステップＳ４０５の動作）を続ける。
【００７２】
一方、映像処理装置２０の制御部２１は、入力する映像情報を変更する映像選択信号を入力した場合（ステップＳ６０１−Ｙｅｓ）、ステップＳ６０３へ進む。
【００７３】
本動作例では、ユーザは車載装置１０の操作部１３を操作して、前席表示部１４に入力する映像情報源として、ＨＤＭＩ１７の選択が操作部１３に入力される（図５（Ｋ）参照）。車載装置１０の制御部１１は、ＨＤＭＩ規格に基づいた映像情報を選択する映像選択信号を、映像処理装置２０に出力する。映像処理装置２０の制御部２１は、ＨＤＭＩ規格に基づいた映像情報を選択する映像選択信号を入力する（図５（Ｊ）参照）。
【００７４】
ステップＳ６０３において、制御部２１は、解像度表Ｔ１における第１入力映像情報として、選択されたＨＤＭＩの太枠で登録されている解像度（横画素数１９２０×縦画素数５４０）にフラグ１を登録すると共に、ディスク媒体にフラグ０を登録する（フラグ登録処理）。
【００７５】
次に、ステップＳ６０４において、第１選択部２３は、制御部２１により制御されて、ＨＤＭＩ規格に基づいた映像情報を１フレームごとに入力して、画像メモリ２５に映像情報を書き込む。第１選択部２３は、ＨＤＭＩ規格に基づいた映像信号が含む垂直同期信号に同期して、１フレームごとの映像情報（図５（Ｃ）及び図５（Ｄ）参照）を、画像メモリ２５に書き込む（図５（Ｅ）参照）。
【００７６】
第１解像度変更部２６は、第１選択部２３により書き込まれた映像情報を画像メモリ２５から読み込む時に、前席表示部１４に表示されることになる映像情報の解像度として、記憶部１２ａの解像度表Ｔ１のフラグ「１」が登録されている映像情報の解像度を、解像度表Ｔ１から抽出する。ここで、解像度表Ｔ１には、制御部２１により、入力した映像選択信号に基づいて、第１選択部２３が入力することを選択している映像情報を示すフラグが登録されている。制御部２１が、入力した映像選択信号に基づいて、解像度表Ｔ１にフラグを登録するのに要する時間は、第１解像度変更部２６のクロック周期よりも短い。ここで、制御部２１は、映像選択信号を、第１解像度変更部２６のクロックＣ８と同時に入力している。
【００７７】
従って、第１解像度変更部２６は、クロックＣ８と同時に入力した映像選択信を受けた後の次のクロックＣ９に同期して（図５（Ｈ）参照）、前席表示部１４に表示されることになる映像情報の解像度を解像度表Ｔ１から抽出し、且つ、第１選択部２３により書き込まれた映像情報を画像メモリ２５から読み込み（図５（Ｆ）参照）、第１選択部２３により書き込まれた映像情報の解像度を、記憶部１２ａから取得した前席表示部１４の解像度を利用して変更し、画像メモリ２５から読み込んだ映像情報を前席表示部１４に出力する（図５（Ｇ）参照）。点灯した前席表示部１４は、入力した映像情報を表示する（図５（Ｉ）参照）。具体的には、第１解像度変更部２６は、ＨＤＭＩ規格に基づいた映像情報の解像度（横画素数１９２０×縦画素数５４０：１０２０ｉ）を、前席表示部１４の解像度（横画素数１２８０×縦画素数７２０：ＨＤ）に変更して、解像度が変更された映像情報を、前席表示部１４に出力する（解像度変更処理）。
【００７８】
以下、ステップＳ６０４の動作が繰り返されて、ＨＤＭＩ規格に基づいた映像情報の解像度（横画素数１９２０×縦画素数５４０：１０２０ｉ）が、前席表示部１４の解像度（横画素数１２８０×縦画素数７２０：ＨＤ）に変更されて、解像度が変更された映像情報が、前席表示部１４に表示されることが続く（図５（Ｃ）、（Ｄ）、（Ｅ）〜（Ｉ）参照）。
【００７９】
上述した本実施形態の映像処理装置２０を備えた車載装置１０によれば、入力する映像情報の変更に伴って、解像度の変更により前席表示部１４に表示される映像の乱れることが防止される。従って、本実施形態では、入力する映像情報源の変更を行う時に、前席表示部１４及び後席表示部３０に黒画面が表示されることを回避される。
【００８０】
ユーザは、前席表示部１４又は後席表示部３０に表示する映像情報源を変更した時に、前席表示部１４又は後席表示部３０に黒画面が表示されることがなくなるので、車載装置１０の使用を快適に行うことができる。
【００８１】
次に、従来の映像処理装置を備える車載装置では、前席表示部又は後席表示部に表示する映像情報源を変更した時に、前席表示部又は後席表示部に黒画面が表示されることを、図７を参照しながら、以下に説明する。
【００８２】
図７は、従来の映像処理装置の動作を説明するシーケンス図である。
【００８３】
まず、従来の映像処理装置は、最初に起動した状態では、ユーザの操作により、ディスク媒体を再生した映像情報を選択する映像選択信号を入力すると（図７（Ｊ）及び図７（Ｋ）参照）、ディスク媒体を再生した映像信号を入力して、入力した映像信号の解像度を調べて、入力した映像情報を前席表示部の解像度（ＨＤ）に変更する変更倍率を決定する（図７（Ｇ）参照）。また、従来の映像処理装置は、ディスク媒体を再生した映像信号を１フレームごとに入力して、画像メモリに映像情報を書き込む（図７（Ａ）、（Ｂ）、（Ｅ）参照）。そして、従来の映像処理装置は、クロックＣ３に同期して（図７（Ｈ）参照）、映像情報を画像メモリから読み込み（図７（Ｆ）参照）、読み込んだ映像情報の解像度を前席表示部の解像度に変更して、画像メモリから読み込んだ映像情報を前席表示部に出力する（図７（Ｇ）参照）。点灯した前席表示部は、入力した映像情報を表示する（図７（Ｉ）参照）。
【００８４】
次に、ユーザの操作により、前席表示部に表示する映像情報源が、ディスクドライブからＨＤＭＩに変更されて、ＨＤＭＩ規格に基づいた映像信号を選択する映像選択信号を入力すると（図７（Ｊ）及び図７（Ｋ）参照）、従来の映像処理装置は、前席表示部を消灯する（図７（Ｉ）参照）。従来の映像処理装置は、ＨＤＭＩ規格に基づいた映像信号を入力し、入力した映像信号の解像度を調べて、入力した映像情報を前席表示部の解像度（ＨＤ）に変更する変更倍率を決定する（図７（Ｇ）参照）。従来の映像処理装置が、入力した映像情報を前席表示部の解像度（ＨＤ）に変更する変更倍率を決定する処理を行っている間、前席表示部を消灯しており、黒い画面が表示され続ける（図７（Ｉ）参照）。
【００８５】
従来の映像処理装置は、入力した映像情報を前席表示部の解像度に変更する変更倍率を決定すると、ＨＤＭＩ規格に基づいた映像信号を１フレームごとに入力して、画像メモリに映像情報を書き込む（図７（Ｃ）、（Ｄ）、（Ｅ）参照）。そして、従来の映像処理装置は、クロックＣ１０に同期して（図７（Ｈ）参照）、映像情報を画像メモリから読み込み（図７（Ｆ）参照）、読み込んだ映像情報の解像度を前席表示部の解像度（ＨＤ）に変更して、画像メモリから読み込んだ映像情報を前席表示部に出力する（図７（Ｇ）参照）。点灯した前席表示部は、入力した映像情報を表示する（図７（Ｉ）参照）。この時、前席表示部は、クロックＣ７〜Ｃ９の間は消灯して、黒い画面を表示することになる。
【００８６】
このように、従来の映像処理装置では、前席表示部に表示する映像情報源を変更した時に、前席表示部に黒画面が表示されるので、ユーザに不快感を与えるおそれがあった。これは、入力した映像信号の解像度を調べる処理と、入力した映像情報を前席表示部の解像度に変更する変更倍率を決定する処理とを連続して行うことが複雑な動作となり、処理のタイミングを適切に設定することが困難であることが一因として挙げられる。また、場合によって、誤った解像度の変更倍率に設定するおそれもあった。
【００８７】
一方、上述した本実施形態の映像処理装置を備える車載装置では、前席表示部に表示する映像情報源が変更された時に、前席表示部に黒画面を表示することなく、速やかに新たに選択された映像情報源の映像情報を表示することができるので、ユーザに快適な操作感を与えることができる。
【００８８】
本発明では、上述した実施形態の映像処理装置及び方法は、本発明の趣旨を逸脱しない限り適宜変更が可能である。
【００８９】
例えば、上述した実施形態では、映像処理装置はＦＰＧＡを用いて形成されていたが、映像処理装置の動作は、一つまたは複数のプロセッサを有する制御部が、所定のプログラムを実行することにより実現してもよい。
【００９０】
また、上述した実施形態では、異なる解像度を有する複数の映像情報それぞれの関連情報は、複数の映像情報それぞれの解像度であった。異なる解像度を有する複数の映像情報それぞれの関連情報は、解像度、又は、映像信号種別情報、又は、表示部種別の内の少なくとも１つを含んでいればよい。解像度変更部は、映像信号種別情報、又は表示部種別に基づいて、映像選択命令により選択された映像情報の解像度を取得して、記憶部から取得した、映像選択命令により選択された映像情報の解像度に応じて、入力した映像情報の解像度を、記憶部から取得した表示部の解像度に変更して映像情報を出力してもよい。
【００９１】
更に、上述した実施形態では、映像処理装置が最初に起動した状態において、第１解像度表及び第２解像度表には、各入力映像情報と解像度との関係が既に登録されていた。映像処理装置は、最初に起動した時に、各入力映像情報の解像度を取得して、第１解像度表及び第２解像度表に対して、各入力映像情報と解像度との関係を登録するようにしてもよい。
【符号の説明】
【００９２】
１０    車載装置
１１    制御部
１２    記憶部
１３    操作部
１４    前席表示部
１５    ディスクドライブ
１６    デジタルテレビチューナ（ＤＴＶチューナ）
１７    高精細度マルチメディアインターフェース（ＨＤＭＩ）
２０    映像処理装置
２１    制御部
２１ａ    記憶部
２２    入力部
２２ａ〜２２ｃ    入力処理部
２３    第１選択部
２４    第２選択部
２５    画像メモリ
２６    第１解像度変更部
２７    第２解像度変更部
３０    後席表示部
４０    高機能携帯電話
Ｔ１    第１解像度表
Ｔ２    第２解像度表
【図１】
2018006908.tif 000003
【図２】
2018006908.tif 000004
【図３】
2018006908.tif 000005
【図４】
2018006908.tif 000006
【図５】
2018006908.tif 000007
【図６】
2018006908.tif 000008
【図７】
2018006908.tif 000009